(57)【特許請求の範囲】
【請求項１】
架台上に上部及び下部からなる機体を立設し、前記下部機体の筒体の筒壁全周にエアーの吸込口部を設けると共に、前記上部機体を前記筒体より大径とし、前記吸込口部よりも径方向外側に位置した前記上部機体の下壁面のほぼ全面にエアーを面状一様流として吹き下ろす小孔の集合体である吹出面部を設け、且つ前記吸込口部と気流的に下流となる前記吹出面部との間の機体内に空気清浄機器を設けてなり、該空気清浄機器による清浄化エアーを、前記吹出面部の集合している小孔群から吹き出し面状一様流にして吹き下ろすと共に、前記吸込口部からエアーを吸い込んで、これらの間に圧力差を生じさせ、面状一様流から前記吸込口部に向かう気流を起こすようにしたことを特徴とする層気流制御型空気清浄機。
【請求項２】
前記空気清浄機器による清浄化エアーは、その一部を前記機体に設けた排出口部から系外に出す請求項１記載の層気流制御型空気清浄機。
【請求項３】
前記吹出面部は、機体の上部に位置した天笠状箱体下面に設けられてなり、該天笠状箱体下面の前記吹出面部からエアーを、面状一様流として前記吸込口部を囲うように吹き下ろす請求項１または２記載の層気流制御型空気清浄機。
【請求項４】
前記吸込口部は、その設置高さが少なくとも立った状態の成人の口の位置と同等若しくはわずかに低い位置から成人の身長高さまでの位置の範囲である請求項１、２または３記載の層気流制御型空気清浄機。
【請求項５】
前記架台及び前記機体は、少なくとも成人の身長高さまでは円筒体である請求項１、２、３または４記載の層気流制御型空気清浄機。
【請求項６】
前記架台及び前記機体には、情報媒体が設置されている請求項１、２、３、４または５記載の層気流制御型空気清浄機。
【発明の詳細な説明】
【技術分野】
【０００１】  本発明は、喫煙空間やリフレッシュ空間などに設置する層気流制御型空気清浄機に関する。
【背景技術】
【０００２】  現在、煙草の紫煙を清浄化する空気清浄機は大別して３種類ある。これらは、１紫煙を直接的に吸引して清浄化するタイプ、２一定空間をエアーカーテンなどで囲い、紫煙を出さないようにすると共に囲い内で吸引して清浄化するタイプ、３上記の１と２とを組合せたもので、紫煙を直接的に吸引して清浄化し、吸引出来なかった紫煙をエアーカーテンなどによる囲いにより外に出さないようにするタイプ、である。【０００３】  １のタイプとしては、本出願人の次のようなものが知られている。
【特許文献１】  特開平９−１２１９４７号公報  この文献によれば、空気清浄機である喫煙カウンターａは、図１１に示すように、建造物の室内の任意箇所に配置され、カウンター本体ｂの側面に排気口ｃを設けると共に上面に吸気口ｄを設け、該吸気口ｄの上方に遮蔽板ｅを支柱ｆにより支持して設け、吸気口ｄと排気口ｃとの間のカウンター本体ｂ内に空気清浄機器を設けたものである。この喫煙カウンターａの周辺で人が煙草を吸うと、紫煙は周辺の空気と共に遮蔽板ｅにガイドされ吸気口ｄからカウンター本体ｂ内に入り、空気清浄機器により清浄化されて排気口ｃから外部に排気される。【０００４】  ２のタイプとしては、次のようなものが知られている。
【特許文献２】  実開平７−３５９２７号公報  この文献によれば、空気清浄機である喫煙ユニットａ１は、図１２に示すように、建造物の室内における天井部ｇの周囲に吹出口ｈがあり、天井部ｇの中央部に吸気口ｄがあって、吹出口ｈからのエアーカーテンｉにより床ｊ、天井部ｇと相まって喫煙空間Ａをつくり、この喫煙空間Ａ内のエアーを天井部ｇの吸気口ｄにて吸引して喫煙空間Ａ内を一時的に負圧にして、室内の他の空間に紫煙や悪臭を流出しないようにし、天井部ｇ内にある空気清浄機器により清浄化空気として再び吹出口ｈから吹き出し、エアーカーテンｉとして循環させているものである。【０００５】  ３のタイプとしては、本出願人の次のようなものが知られている。
【特許文献３】  特開２００１−１７４０１１号公報  この文献によれば、空気清浄機である気流制御型分煙機ａ２は、図１３に示すように、機械本体ｍが、箱体ｎの側部にパネルｏを取り付けた形状とし、該パネルｏにこれと共に建造物の室内を区分けするためのエアーカーテンｉを形成する吹出口ｈを設け、箱体ｎにエアーカーテンｉにより区分けした一方の喫煙空間Ａに位置させた吸気口ｄを設けて、他方の非喫煙空間Ｂに位置させた排気口ｃをパネルｏに設け、箱体ｎ内に空気清浄機器を設けてなり、排気口ｃからの清浄化空気の排気量を少なくとも非喫煙空間Ｂからの外部巻込エアー量Ｑよりも大となるように設定し、パネルｏ及びエアーカーテンｉにより室内を区分けした吸気口ｄ側の喫煙空間Ａ内を負圧状態にしたものである。これにより、喫煙空間Ａ内にある機械本体ｍ周辺の紫煙を直ちに吸気口ｄから吸い込み、空気清浄機器により清浄化空気にし、その一部を排気口ｃから外部巻込エアー量Ｑよりも大となるように非喫煙空間Ｂに排気して、喫煙空間Ａ内を負圧状態に保持し、清浄化空気の残りを吹出口ｈから吹き出しエアーカーテンｉとして、吸気口ｄに吸い込まれなかった紫煙も、喫煙空間Ａ内が負圧状態であるから、最終的に吸気口ｄに吸い込まれ空気清浄機器により清浄化空気にされ、排気口ｃから非喫煙空間Ｂに排出される。【０００６】  また、３のタイプの変形例として、次のようなものも知られている。
【特許文献４】  特開２００４−８１４３号公報  この文献によれば、空気清浄機である気流制御型分煙機ａ３は、図１４に示すように、吸込エアーを清浄化する空気清浄機器を内装した機台ｐに、これの全周にわたり吸気口ｄを開設した所要高さの柱部ｑを立設すると共に、該柱部ｑ上方に前記した空気清浄機器による清浄化空気を全周から放射状に下方に吹き出す笠状の空気吹出部ｒを設けてなり、この空気吹出部ｒから吹き出された清浄化空気を吸気口ｄに吸い込ませて柱部ｑ周囲をほぼドーム状のエアーカーテンｉで仕切り、このドーム状のエアーカーテンｉ内を喫煙空間Ａとするものである。そして、吸気口ｄに直接吸い込まれなかった紫煙も、ドーム状のエアーカーテンｉにより外部に漏れず、最終的に吸気口ｄに吸い込まれて清浄化空気となる。更に、空気吹出部ｒの上面中心部に排気口ｃを設けて、清浄化空気の一部をドーム状のエアーカーテンｉ外に排出することで、エアーカーテンｉ内側の上記喫煙空間Ａ内を負圧状態とすることも出来る。
【発明の開示】
【発明が解決しようとする課題】
【０００７】  図１１の喫煙カウンターａは、室内などに配置すれば簡単に紫煙処理機能を有した喫煙室となり、喫煙者と言えども他人の紫煙は出来れば避けたいという願望を満たすことが出来て都合がよい。しかしながら、この喫煙カウンターａを喫煙室内に設置しても、喫煙者が喫煙カウンターａの吸気口ｄ回りの有効吸込領域内で喫煙をしなければ、清浄化の機能を果たすことが出来ず、この有効吸込領域は吸込容量に依存し、これを広げるには吸込容量を増やすしかない。この吸込容量を増やすと、その分清浄化空気が下部の排気口ｃから勢いよく床面に吐き出され、それが喫煙室内の壁に当たり乱流となって、吸気口ｄ回りの有効吸込領域に悪影響を及ぼし、期待した有効吸込領域のアップにつながらず、喫煙室のドアなどの隙間から清浄化空気と共に紫煙も外部に流失し易くなる。また、喫煙カウンターａの床面の占有面積も大きく、健康増進法の基準を完全にクリアーするには設置台数を増やさなければならず、その結果、喫煙室としての有効面積が著しく減り、収容喫煙者数が減る。【０００８】  また、図１２の喫煙ユニットａ１は、室内に配置すれば、紫煙処理機能を有した喫煙所となり得る点で都合がよい。しかしながら、この喫煙ユニットａ１は、大がかりなものであるから、容易に移動出来ず、室内を簡易的に紫煙処理機能を有した喫煙所とすることが困難である。加えて、天井部ｇを支持する柱ｋが必要となり、また、天井に吊るすようなタイプにしても、喫煙空間Ａ内を一時的に負圧状態にすることが出来るが、中央部にある吸気口ｄから吸い込んだ空気は、その全量を再び吹出口ｈからのエアーカーテンｉとするから、結局喫煙空間Ａ内を恒常的に負圧状態にすることが出来ず、紫煙が喫煙空間Ａ外に流出する。したがって、この喫煙ユニットａ１は、集煙効果が期待できず、しかも直接的に紫煙を吸引しないから、喫煙者と言えども他人の紫煙を出来れば避けたいという願望も満たすことが出来ない。更に、健康増進法の基準を完全にクリアーするには喫煙空間Ａを壁にて囲う必要があり、喫煙ユニットａ１の出入り自在の易喫煙所創設性のメリットが失われ、煩わしくなる。【０００９】  また、図１３の気流制御型分煙機ａ２は、室内の公共スペースなどに配置すれば簡単に紫煙処理機能を有した喫煙所となり、喫煙者と言えども他人の紫煙は出来れば避けたいという願望を満たし、喫煙者が吸気口ｄ回りの有効吸込領域から離れて紫煙を吐き出しても、パネルｏ及びエアーカーテンｉにより創設した喫煙空間Ａ内であれば紫煙が漏れず、喫煙マナーに集煙効果を大きく依存せず都合がよい。しかしながら、この気流制御型分煙機ａ２は、室内の公共スペースの壁際などに設置しなければ、有利性を発揮出来ないなどの制約があり、また、図１１の喫煙カウンターａと同様に吸気口ｄ回りの有効吸込領域内で喫煙をしなければ、紫煙は喫煙空間Ａ外に漏れることが無いものの、喫煙空間Ａ内を漂い他の喫煙者に影響を及ぼし、むやみに吸込容量を増やしても期待した有効吸込領域のアップにつながら無い。更に、健康増進法の基準を完全にクリアーするには喫煙空間Ａを壁にて囲う必要があり、気流制御型分煙機ａ２の出入り自在の易喫煙所創設性のメリットが失われ、煩わしくなる。【００１０】  また、図１４の気流制御型分煙機ａ３は、室内の公共スペースなどに配置すれば簡単に紫煙処理機能を有した喫煙所となり、喫煙者と言えども他人の紫煙は出来れば避けたいという願望を満たし、喫煙者が吸気口ｄ回りの有効吸込領域から離れて紫煙を吐き出しても、笠状の空気吹出部ｒ及びエアーカーテンｉにより創設した喫煙空間Ａ内であれば紫煙が漏れず、喫煙マナーに集煙効果を大きく依存せず都合がよい。しかしながら、この気流制御型分煙機ａ３は、図１１の喫煙カウンターａと同様に吸気口ｄ回りの有効吸込領域内で喫煙をしなければ、紫煙は喫煙空間Ａ外に漏れることが無いものの、喫煙空間Ａ内を漂い他の喫煙者に影響を及ぼし、むやみに吸込容量を増やしても期待した有効吸込領域のアップにつながら無い。また、健康増進法の基準を完全にクリアーするには喫煙空間Ａを壁にて囲う必要があり、気流制御型分煙機ａ３の出入り自在の易喫煙所創設性のメリットが失われ、煩わしくなる。また、喫煙室に気流制御型分煙機ａ３を設置した場合でも、機台ｐが大きく床面の占有面積が大きくなり、健康増進法の基準を完全にクリアーするには設置台数を増やす必要があり、喫煙室の有効面積が減り、収容喫煙者数が減る。【００１１】  そこで、本発明は、上記事情に鑑みてなされたもので、喫煙室内に設置しても収容喫煙者数を充分に確保でき、且つ吸込容量を増やすことなく、吸気口回りの有効吸込領域を広くでき、他の喫煙者に影響を及ぼさず、更に健康増進法の基準をクリアーし易く出来、その上に出入り自在の易喫煙所創設性のメリットを保持できる層気流制御型空気清浄機を提供することを課題とする。
【課題を解決するための手段】
【００１２】  本発明は、上記課題を達成するために提案されたものであって、下記の構成からなることを特徴とするものである。
すなわち、請求項１記載の発明は、架台上に上部及び下部からなる機体を立設し、前記下部機体の筒体の筒壁全周にエアーの吸込口部を設けると共に、前記上部機体を前記筒体より大径とし、前記吸込口部よりも径方向外側に位置した前記上部機体の下壁面のほぼ全面にエアーを面状一様流として吹き下ろす小孔の集合体である吹出面部を設け、且つ前記吸込口部と気流的に下流となる前記吹出面部との間の機体内に空気清浄機器を設けてなり、該空気清浄機器による清浄化エアーを、前記吹出面部の集合している小孔群から吹き出し面状一様流にして吹き下ろすと共に、前記吸込口部からエアーを吸い込んで、これらの間に圧力差を生じさせ、面状一様流から前記吸込口部に向かう気流を起こすようにしたことを特徴とする。【００１３】  請求項２記載の発明は、前記空気清浄機器による清浄化エアーは、その一部を前記機体に設けた排出口部から系外に出すことを特徴とする。【００１４】  請求項３記載の発明は、前記吹出面部は、機体の上部に位置した天笠状箱体下面に設けられてなり、該天笠状箱体下面の前記吹出面部からエアーを、面状一様流として前記吸込口部を囲うように吹き下ろすことを特徴とする。【００１５】  請求項４記載の発明は、前記吸込口部は、その設置高さが少なくとも立った状態の成人の口の位置と同等若しくはわずかに低い位置から成人の身長高さまでの位置の範囲であることを特徴とする。【００１６】  請求項５記載の発明は、前記架台及び前記機体は、少なくとも成人の身長高さまでは円筒体であることを特徴とする。【００１７】  請求項６記載の発明は、前記架台及び前記機体には、情報媒体が設置されていることを特徴とする。
【発明の効果】
【００１８】  以上詳述したように、本発明によれば、以下のような効果がある。
請求項１記載の発明は、架台上に立設した下部機体の筒体にある吸込口部からエアーを吸い込み空気清浄機器により清浄化し、この清浄化エアーを、上部機体の吹出面部の集合している小孔群から吹き下ろすと、面状一様流となり、一方、吸込口部からエアーを吸い込んでいるから、面状一様流との間に圧力差を生じ、面状一様流から吸込口部に向かう気流が起きて、煙草の煙などを、上記面状一様流により吹き飛ばすことなくそのまま押し下げ、上記気流により吸込口部に導入して、機体内に吸い込ませる。したがって、吸込容量を増やさないから、不必要な気流の乱れが無く、且つ面状一様流域を含めた吸込口部回りの有効吸込領域を広くでき、他の喫煙者に影響を及ぼさず、さらに煙草の煙などの回収率が上がるため健康増進の基準をクリアーし易く出来る効果があり、その上に、専用の喫煙室外の室内に設置した場合、出入り自在の易喫煙所創設性のメリットを保持できる。【００１９】  請求項２記載の発明は、機体に設けた排出口部から空気清浄機器通過後の清浄化エアーの一部を系外に出すと、その分面状一様流から吸込口部に向かう気流が強くなり、この間にある紫煙などを吸込口部に導入する。したがって、上記効果を強固にするのに加えて、空気清浄機器による未除去成分の蓄積を回避できることにより、健康増進の基準をクリアーし易く出来る効果がある。【００２０】  請求項３記載の発明は、機体上部の天笠状箱体下面に設けられた吹出面部から、清浄化エアーを面状一様流として吸込口部を囲うように吹き下ろすので、面状一様流域内にある紫煙などを漏らさず面状一様流から吸込口部に向かう気流に乗せて、吸込口部に導入する。したがって、上記効果をより強固にする。【００２１】  請求項４記載の発明は、立った状態の成人の喫煙者が吸込口部に向かって紫煙を吐き出せば、立った状態の成人の口の位置と同等若しくはわずかに低い設置高さから成人の身長高さの範囲にある吸込口部により直ちに導入される。したがって、上記効果をより強固にすることが出来る。【００２２】  請求項５記載の発明は、架台及び機体が成人の身長高さまで円筒体であるから、床面の占有を最小限に押さえ、しかも喫煙者が機体の吸込口部に最も近づけ、且つ全方向から紫煙などを吸込口部に導入する。したがって、上記効果に加えて、喫煙室内に設置しても収容喫煙者数を充分に確保でき、喫煙者からの紫煙を直ちに吸い込めて効率が高まる。【００２３】  請求項６記載の発明は、喫煙者は架台及び機体に向かって喫煙するから、これらに設置された情報媒体を見ることになる。したがって、上記効果に加えて、喫煙者に対して情報を提供できる。
【発明を実施するための最良の形態】
【００２４】  以下に、図面を参照して本発明を実施するための最良の形態を説明する。
【実施例１】
【００２５】  図１は本発明の実施例１を示す層気流制御型空気清浄機の正面図、図２は図１のＡ−Ａ線に沿う断面図、図３は本発明の実施例１を示す層気流制御型空気清浄機の主要部の断面図である。図面において、層気流制御型空気清浄機１は、建造物における例えば喫煙室に設置されるものであり、架台２上に上部及び下部からなる機体３を立設し、下部機体２３の筒体、すなわち、円筒体２０の筒壁全周にエアーの吸込口部４を設けると共に、上部機体２６を円筒体２０より大径とし、吸込口部４よりも径方向外側に位置した上部機体２６の下壁面２４ａのほぼ全面に、エアーを面状一様流５（図３参照）として吹き下ろす小孔の集合体である吹出面部６を設け、且つ吸込口部４と気流的に下流となる吹出面部６との間の機体３内に空気清浄機器７を設けてなり、この空気清浄機器７（図３参照）による清浄化エアーを、吹出面部６の集合している小孔群から吹き出し面状一様流５にして吹き下ろすと共に、吸込口部４からエアーを吸い込んで、これらの間に圧力差を生じさせ、面状一様流５から吸込口部４に向かう気流８を起こすようにしたものである。【００２６】  前記架台２は、円筒形状をなし、その下端側が床面１０に取り付けられた図４に示す固定ベース１１に被せられることにより設置される。すなわち、この固定ベース１１は、設置希望の任意箇所の床面１０にアンカーボルト１２により固定される。一方、円筒形状をなした架台２の上端側は天板１３が取り付けられ、更に、その天板１３の中心部に孔が開けられ、灰皿１４が挿入され設置されている。そして、この架台２には２本の支柱１５が立設されて前記機体３が支持されている。【００２７】  この機体３は、最下部の円筒体２０及びそれの上にコーン部２１により連なる四角形状の箱体２２からなる下部機体２３と、最上部の四角形状の天笠状箱体２４及びそれの中心部に上部が収納されて下方に連なる四角形状の箱体２５からなる上部機体２６と、これらの下部機体２３及び上部機体２６を繋ぎ且つ設置する室内の天井高さに応じるための調整機体２７とからなる。そして、この機体３及び前記架台２は、少なくとも成人の身長高さまでは円筒体であり、すなわち、機体３のうち下部機体２３の円筒体２０と架台２とは、成人の身長高さまで円筒体であるから、床面１０の占有を最小限に押さえ、しかも喫煙者が機体３の吸込口部４に最も近づけ、且つ全方向から煙草の紫煙などを吸込口部４に導入することが出来る。したがって、喫煙室内に設置すると収容喫煙者数を充分に確保でき、喫煙者からの紫煙を直ちに吸い込めて効率が高まる。【００２８】  前記下部機体２３の円筒体２０には、すでに述べたように、前記吸込口部４が設けられ、この吸込口部４は、円筒体２０の筒壁全周に開けられた小孔の集合体であり、したがって、全周方向からの吸込が可能となる。しかも、この吸込口部４は、その設置高さが少なくとも立った状態の成人の口の位置と同等若しくはわずかに低い位置から成人の身長高さまでの位置の範囲（通常、日本では１３０〜１８５ｃｍの範囲内である）にあり、このため、立った状態の成人の喫煙者が、吸込口部４に向かって煙草の煙を吐き出せば、円筒体２０内に直ちに導入されることになる。また、下部機体２���のコーン部２１及び箱体２２内には、後に詳述する前記空気清浄機器７が収容されている。なお、吸込口部４は、小孔の集合体であるとしたが、円筒体２０の筒壁全周にネット状物を張り付けたようなものでも良い。【００２９】  前記上部機体２６の天笠状箱体２４には、すでに述べたように、前記吹出面部６が設けられ、この吹出面部６は、天笠状箱体２４の下壁面２４ａのほぼ全面に開けられた小孔の集合体であり、したがって、下壁面２４ａのほぼ全面からエアーを吹き下ろすことが可能となり、そのエアー流は面状一様流５となる。この面状一様流５は、吹出面部６が機体３の中心軸線Ｌを基準として前記吸込口部４よりも外側に位置しているから、吸込口部４よりも外側の上方から吹き下りることになって、吸込口部４を囲うと共に、吸込口部４周辺を層状の吹き下ろし流の通り道とする。なお、吹出面部６は、小孔の集合体であるとしたが、吸込口部４と同様に、天笠状箱体２４の下向きの下壁面２４ａのほぼ全面にネット状物を張り付けたようなものでも良い。また、上部機体２６の四角形状の箱体２５内には、後に詳述する送風機２８が収容され、箱体２５の側面には整流の意味でネット状物２９が張られているが、これは必須条件ではない。また、箱体２５の上壁面２５ａには、図６に示すように、天井１６に取り付けるためのボルト孔３０が開いている。【００３０】  前記調整機体２７は、上部機体２６と下部機体２３との間に位置して、機体３の全体高さ寸法を自在に調整出来るようにしたものである。この調整機体２７は、建物の室内の高さ寸法の変化に対し同調して、前記層気流制御型空気清浄機１が喫煙室内に自在に設置出来るようにするためのものである。【００３１】  前記空気清浄機器７は、吸引エアー中の比較的大きな粒子を除去するプレフィルター４０と、このプレフィルター４０により除去出来なかった微粒子を除去する電気集塵機４１と、この電気集塵機４１により除去出来なかった超微細粒子、臭気成分並びに有害ガス成分などを除去する複合フィルター４２との３部構成となっている。また、この電気集塵機４１の代わりに、少なくとも微細粒子を除去出来るメカニカルフィルターを用い、更に、超微細粒子、臭気成分並びに有害ガス成分の除去機能をも併せ持つ超高性能なメカニカルフィルターを併用してもよい。【００３２】  前記送風機２８は、上記の面状一様流５を形成するのに必要とされる基本的な容量及び圧力に、上記の空気清浄機器７の負荷に対する必要とする条件が加算されること以外、特に限定がない。なお、面状一様流５は０．０５〜０．５ｍ／秒の風速の範囲内から適宜選択され、より好ましくは０．１〜０．３ｍ／秒の風速の範囲内である。【００３３】  なお、機体３の上部機体２６の箱体２５における上壁面２５ａに前記空気清浄機器７通過後の清浄化エアーの一部を系外に排出するための排出口部３１を設けてあると、この排出口部３１から清浄化エアーの一部を系外に出すことが出来るから、その分面状一様流５から吸込口部４に向かう気流８が強くなり、この間にある紫煙などを吸込口部４に素速く導入することが出来る。【００３４】  また、層気流制御型空気清浄機１の架台２及び機体３に情報媒体が設置されていると、喫煙者は架台２及���機体３に向かって喫煙しているから、必然的にこれらの情報媒体を見ることになる。この情報媒体は、ポスター、動画及び静止画の映像媒体など、特に限定がない。その内容もニュース、天気予報、広告など特に限定がない。【００３５】  次に、上記構成になる層気流制御型空気清浄機１の使用方法を説明する。
まず、建造物の喫煙室の天井高さを調査し、更に、層気流制御型空気清浄機１をその喫煙室内に設置出来るかどうか、その天井及び床面の状況を調査する。これらの調査の結果を踏まえて、層気流制御型空気清浄機１の調整機体２７の寸法を確定し、更に喫煙室内の設置場所を確定すると共に、必要に応じて、固定ベース１１及び箱体２５の上壁面２５ａのボルト孔３０などを、層気流制御型空気清浄機１の設置に支障が無いように調整する。次に、天井に機体３の上部機体２６を取り付け、更に、機体３の中心軸線Ｌに合わせて床面１０に固定ベース１１をアンカーボルト１２により固定する。この固定ベース１１に架台２を嵌め、更に架台２に立設している２本の支柱１５に下部機体２３を取り付け、高さ調節は前記調整機体２７により行い設置を終了する。【００３６】  喫煙室内に設置された層気流制御型空気清浄機１は、喫煙室内に人が入ると、喫煙室の出入口や下部機体２３に取り付けられた人感知センサにより感知して、あるいは、喫煙室内に入った人が煙草を吸い紫煙を排出しそれを煙感知センサにより感知して、電源が入り運転を開始する。送風機２８が作動すると、吸込口部４から下部機体２３の円筒体２０内にエアーが入り、それに伴い上部機体２６の天笠状箱体２４の下壁面２４ａにある吹出面部６からも、面状一様流５が吸込口部４を囲うように吹き下ろされ、面状一様流５が再び吸込口部４から円筒体２０内に入り循環することになる。したがって、この面状一様流５と吸込口部４との間に若干の圧力差が生じ、面状一様流５から吸込口部４に向かう気流８が起きている。【００３７】  喫煙者は、架台２上の天板１３に設置している灰皿１４を利用することになるから、円筒体２０の吸込口部４回り近辺で喫煙することになり、喫煙者からの紫煙の多くは吸込口部４に直接吸い込まれる。一方、吸込口部４に直接吸い込まれないで漂っている紫煙は、吹出面部６からの面状一様流５により包含されて、面状一様流５から吸込口部４に向かう上記の気流８により吸込口部４から円筒体２０内に入る。したがって、図７に示す吸込口部４回りにおける有効吸込領域３２が広く取れることになる。【００３８】  気流８と共に円筒体２０内に入った紫煙は、プレフィルター４０により比較的大きな粒子が除去され、プレフィルター４０により除去出来なかった微粒子が電気集塵機４１により除去され、更に、電気集塵機４１により除去出来なかった超微細粒子、臭気成分並びに有害ガス成分などが複合フィルター４２により除去され、清浄化エアーとなる。この清浄化エアーは、ネット状物２９により整流され、更に小孔の集合体である吹出面部６により面状一様流５とされる。以下上記と同じことが繰り返され、吸込口部４回り近辺で喫煙した喫煙者からの紫煙は、広くなった有効吸込領域３２により、すべて確実に吸込口部４から円筒体２０内に吸い込まれ、清浄化される。【００３９】  また、機体３の箱体２５の上壁面２５ａに前記空気清浄機器７通過後の清浄化エアーの一部を系外に排出するための徘出口部３１が設けてあると、この排出口部３１から清浄化エアーの一部が系外に出るから、図８の有効吸込領域３２が負圧状態となり、その分、面状一様流５から吸込口部４に向かう気流８が強固と���り、この有効吸込領域３２内の煙草の紫煙などを漏らすことなく、吸込口部４から円筒体２０内に素速く導入することが出来る。
【実施例２】
【００４０】  図９、１０は本発明の実施例２を示す層気流制御型空気清浄機１ｂであり、この層気流制御型空気清浄機１ｂと図１〜８に示す層気流制御型空気清浄機１との相違点は、機体３の円筒体２０に小孔の集合体である吸込口部４を設ける代わりに、２本の支柱１５、１５に湾曲板４３、４３を取り付け、更に、底板４４を設けて吸込口部４ａとした点にある。上記のように構成した吸込口部４ａによれば、送風機２８を作動させると気流８が生じ、この気流８は吸込口部４ａに向かい湾曲板４３、４３により、湾曲板４３、４３側近くが遅く、離れ方が速い不連続流が出来、その結果、これら湾曲板４３、４３上に時計方向回りの小渦４５が多数生じる。一方、多数の小渦４５の軸方向の上方でエアーを吸い込んでいるから、多数の小渦４５は収束されて、機体３の下部機体２３の箱体２２に向かう竜巻４６が形成される。【００４１】  この竜巻４６による渦収束性により、吸込口部４ａの上部から下部にかけて平均的にエアーを吸い込み、優良且つ広い前記有効吸込領域３２を形成する。また、この吸込口部４ａをライトアップすれば、竜巻４６により煙草の紫煙が吸い込まれて行く様が良く視認出来、喫煙者は竜巻４６を良く見ようと吸込口部４ａ回りに集まり、更に紫煙を吸い込み易くする。なお、ここでは湾曲板４３を２枚としたが、３枚でも４枚でも良い。また、底板４４が無くても、竜巻４６は生ずるから設けなくても良いが、多少竜巻４６の発生が不安定となることは否めない。その他の構成、作用は層気流制御型空気清浄機１、１ａと全く同様である。【００４２】  以上、本発明の実施例１、２を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００４３】  本発明の層気流制御型空気清浄機は、喫煙室、喫煙コーナーなどに設置して利用自在であるが、特に、喫煙室内に多くの喫煙者を収容したい場合や、これらの喫煙者から吐き出された煙草の煙を広い範囲で素速く確実に捕捉し清浄化しようとする場合に、利用可能性が極めて高くなる。
【図面の簡単な説明】
【００４４】
【図１】  本発明の実施形態を示す層気流制御型空気清浄機の正面図である（実施例１）。
【図２】  図１のＡ−Ａ線に沿う断面図である（実施例１）。
【図３】  本発明の実施形態を示す層気流制御型空気清浄機の主要部の断面図である（実施例１）。
【図４】  本発明の実施形態を示す層気流制御型空気清浄機の固定ベースの平面図である（実施例１）。
【図５】  図４の固定ベースの設置状態の側面図である（実施例１）。
【図６】  本発明の実施形態を示す層気流制御型空気清浄機の平面図である（実施例１）。
【図７】  本発明の実施形態を示す層気流制御型空気清浄機の運転状態図である（実施例１）。
【図８】  本発明の実施形態を示す層気流制御型空気清浄機の運転状態図である（実施例１）。
【図９】  本発明の他の実施形態を示す層気流制御型空気清浄機の吸込口部の断面図である（実施例３）。
【図１０】  本発明の他の実施形態を示す層気流制御型空気清浄機の吸込口部の側面図である（実施例３）。
【図１１】  従来例の斜視図である。
【図１２】  従来例の斜視図である。
【図１３】  従来例の側面図である。
【図１４】  従来例の一部を断面した側面図である。
【符号の説明】
【００４５】１、１ｂ                  層気流制御型空気清浄機
２                        架台
３                        機体
４、４ａ                  吸込口部
５                        面状一様流
６                        吹出面部
７                        空気清浄機器
８                        気流
１０                      床面
１１                      固定ベース
１２                      アンカーボルト
１３                      天板
１４                      灰皿
１５、ｆ                  支柱
１６                      天井
２０                      円筒体
２１                      コーン部
２２、２５、ｎ            箱体
２３                      下部機体
２４                      天笠状箱体
２４ａ                    下壁面
２５ａ                    上壁面
２６                      上部機体
２７                      調整機体
２８                      送風機
２９                      ネット状物
３０                      ボルト孔
３１                      排出口部
３２                      有効吸込領域
４０                      プレフィルター
４１                      電気集麈機
４２                      脱臭フィルター
４３                      湾曲板
４４                      底板
４５                      小渦
４６                      竜巻
Ａ                        喫煙空間
ａ                        喫煙カウンター
ａ１                      喫煙ユニット
ａ２、ａ３                気流制御型分煙機
Ｂ                        非喫煙空間
ｂ                        カウンター本体
ｃ                        排気口
ｄ                        吸気口
ｅ                        遮蔽板
ｇ                        天井部
ｈ                        吹出口
ｉ                        エアーカーテン
ｊ                        床
ｍ                        機械本体
ｏ                        パネル
ｐ                        機台
Ｑ                        外部巻込みエアー量
ｑ                        柱部
ｒ                        空気吹出部
【図１】
0004678626.tif 000002
【図２】
0004678626.tif 000003
【図３】
0004678626.tif 000004
【図４】
0004678626.tif 000005
【図５】
0004678626.tif 000006
【図６】
0004678626.tif 000007
【図７】
0004678626.tif 000008
【図８】
0004678626.tif 000009
【図９】
0004678626.tif 000010
【図１０】
0004678626.tif 000011
【図１１】
0004678626.tif 000012
【図１２】
0004678626.tif 000013
【図１３】
0004678626.tif 000014
【図１４】
0004678626.tif 000015